(57)【要約】【課題】この発明は、例えばメモリカード等の携帯型記録媒体を装着してそこに記録されたコンテンツに基づく表示を行なうもので、装着された携帯型記録媒体に記録されているコンテンツを外部の大容量記録媒体に自動的に記録することができ、ユーザにとっての取り扱いを容易化して実用に適するようにした情報表示装置及び情報表示方法を提供することを目的としている。【解決手段】携帯型記録媒体（２１）に記録されているコンテンツの自動保存用の記録再生機器（２２）が接続されているか否かを判別し、接続されていると判断された場合、携帯型記録媒体（２１）が装着されたとき、その携帯型記録媒体（２１）に記録されているコンテンツを記録再生機器（２２）に自動保存する。【選択図】    図２
2011138220.tif 000002
【特許請求の範囲】
【請求項１】
携帯型記録媒体を着脱自在に装着する装着手段と、
前記装着手段に装着された携帯型記録媒体に記録されているコンテンツに基づいて表示を行なう表示手段と、
前記携帯型記録媒体に記録されているコンテンツの自動保存用の記録再生機器が接続されているか否かを判別する判別手段と、
前記判別手段で前記記録再生機器が接続されていると判断された場合、前記装着手段に携帯型記録媒体が装着されたとき、前記携帯型記録媒体に記録されているコンテンツを前記記録再生機器に自動保存する制御手段とを具備することを特徴とする情報表示装置。
【請求項２】
前記判別手段は、接続されている前記記録再生機器に、自動保存するコンテンツの種類を示す情報が記録されているとき、当該記録再生機器を前記携帯型記録媒体に記録されているコンテンツの自動保存用の記録再生機器であると判断することを特徴とする請求項１記載の情報表示装置。
【請求項３】
前記判別手段は、自動保存するコンテンツの種類を示す情報と前記記録再生機器を識別するための情報とを対応付けたテーブルを備え、当該テーブルに記述された識別情報に対応する記録再生機器が接続されているとき、当該記録再生機器を前記携帯型記録媒体に記録されているコンテンツの自動保存用の記録再生機器であると判断することを特徴とする請求項１記載の情報表示装置。
【請求項４】
前記制御手段は、接続されている記録再生機器の空き記録容量が、前記携帯型記録媒体に記録されているコンテンツを記録するのに足りなくなったとき、自動的に前記携帯型記録媒体に記録されているコンテンツを他の記録再生手段に保存することを特徴とする請求項１記載の情報表示装置。
【請求項５】
前記制御手段は、接続されている記録再生機器の空き記録容量が、前記他の記録再生手段に記録されているコンテンツを記録可能になった場合、当該記録再生機器に前記他の記録再生手段に記録しておいたコンテンツを保存することを特徴とする請求項４記載の情報表示装置。
【請求項６】
前記制御手段は、前記記録再生機器が接続されたとき、当該記録再生機器に前記他の記録再生手段に記録しておいたコンテンツを保存することを特徴とする請求項４記載の情報表示装置。
【請求項７】
前記制御手段は、前記携帯型記録媒体に記録されているコンテンツが前記記録再生機器に自動保存されたとき、前記記録再生機器の空き記録容量を示す情報を、前記表示手段に表示することを特徴とする請求項１記載の情報表示装置。
【請求項８】
装着された携帯型記録媒体に記録されているコンテンツに基づいて表示を行なう工程と、
前記携帯型記録媒体に記録されているコンテンツの自動保存用の記録再生機器が接続されているか否かを判別する工程と、
前記記録再生機器が接続されていると判断された場合、前記携帯型記録媒体が装着されたとき、前記携帯型記録媒体に記録されているコンテンツを前記記録再生機器に自動保存する工程とを有することを特徴とする情報表示方法。
【発明の詳細な説明】
【技術分野】
【０００１】
この発明は、例えばデジタルフォトフレーム等に使用して好適する情報表示装置及び情報表示方法に関する。
【背景技術】
【０００２】
周知のように、デジタルカメラの分野では、その技術開発が急速に進歩しており、現在では、静止画だけでなく動画も高画質で撮影することが可能になっている。ところで、デジタルカメラでは、例えばＳＤ（secure digital）カード等のような小型のメモリカードを用いて、撮影した映像コンテンツを記録するようにしている。
【０００３】
このため、メモリカードに対しては、その記録領域内がほぼ満杯となるまでコンテンツが記録されたような場合、そこに記録されているコンテンツを、例えばＨＤＤ（hard disk drive）等に代表される大容量記録媒体に適宜移し変えることにより、記録領域内を空にして再利用を図るようにしている。
【０００４】
しかしながら、メモリカードから大容量記録媒体にコンテンツを移し変える作業は、通常、ＰＣ（personal computer）等を使用する必要があるため、ユーザの取り扱いが煩雑になっている。特に、デジタルカメラの使用頻度が高いほど、メモリカードから大容量記録媒体へのコンテンツの移し変えも頻繁に行なわれるため、ユーザの負担が大きくなる。
【０００５】
特許文献１には、外部記録媒体接続部に、メモリカード等の単体でデジタルデータを記録可能な外部記録媒体が接続されると、制御部がその接続を認知し、外部記録媒体に記録されたデジタルデータを、外部記録媒体接続部を通じて内部記録媒体に転送するようにしたデジタルデータ記録装置の構成が開示されている。
【先行技術文献】
【特許文献】
【０００６】
【特許文献１】特開２００２−２６９９０５号公報
【発明の概要】
【発明が解決しようとする課題】
【０００７】
そこで、この発明は上記事情を考慮してなされたもので、例えばメモリカード等の携帯型記録媒体を装着してそこに記録されたコンテンツに基づく表示を行なうもので、装着された携帯型記録媒体に記録されているコンテンツを外部の大容量記録媒体に自動的に記録することができ、ユーザにとっての取り扱いを容易化して実用に適するようにした情報表示装置及び情報表示方法を提供することを目的とする。
【課題を解決するための手段】
【０００８】
この発明に係る情報表示装置は、携帯型記録媒体を着脱自在に装着する装着手段と、装着手段に装着された携帯型記録媒体に記録されているコンテンツに基づいて表示を行なう表示手段と、携帯型記録媒体に記録されているコンテンツの自動保存用の記録再生機器が接続されているか否かを判別する判別手段と、判別手段で記録再生機器が接続されていると判断された場合、装着手段に携帯型記録媒体が装着されたとき、携帯型記録媒体に記録されているコンテンツを記録再生機器に自動保存する制御手段とを備えるようにしたものである。
【０００９】
また、この発明に係る情報表示方法は、装着された携帯型記録媒体に記録されているコンテンツに基づいて表示を行なう工程と、携帯型記録媒体に記録されているコンテンツの自動保存用の記録再生機器が接続されているか否かを判別する工程と、記録再生機器が接続されていると判断された場合、携帯型記録媒体が装着されたとき、携帯型記録媒体に記録されているコンテンツを記録再生機器に自動保存する工程とを有するようにしたものである。
【発明の効果】
【００１０】
上記した発明によれば、携帯型記録媒体に記録されているコンテンツの自動保存用の記録再生機器が接続されている場合、携帯型記録媒体が装着されたとき、その携帯型記録媒体に記録されているコンテンツを記録再生機器に自動保存するようにしたので、ユーザにとっての取り扱いを容易化することができ実用に適するようになる。
【図面の簡単な説明】
【００１１】
【図１】この発明の実施の形態を示すもので、デジタルフォトフレームを正面側及び背面側から見た状態を説明するために示す外観図。
【図２】同実施の形態におけるデジタルフォトフレームの主要な信号処理系の一例を説明するために示すブロック構成図。
【図３】同実施の形態におけるデジタルフォトフレームの外付けＨＤＤに格納された自動保存対象コンテンツテーブルの一例を説明するために示す図。
【図４】同実施の形態におけるデジタルフォトフレームが行なう外付けＨＤＤが自動保存用か否かの判別動作を説明するために示すフローチャート。
【図５】同実施の形態におけるデジタルフォトフレームが行なう外付けＨＤＤへのコンテンツの自動保存動作を説明するために示すフローチャート。
【図６】同実施の形態におけるデジタルフォトフレームが行なうサーバから外付けＨＤＤへのコンテンツの保存動作を説明するために示すフローチャート。
【図７】同実施の形態におけるデジタルフォトフレームが行なうメモリカードから外付けＨＤＤへのコンテンツの保存動作を説明するために示すフローチャート。
【図８】同実施の形態におけるデジタルフォトフレームに表示されるメッセージの一例を説明するために示す図。
【図９】同実施の形態におけるデジタルフォトフレーム内に格納されたテーブルの一例を説明するために示す図。
【発明を実施するための形態】
【００１２】
以下、この発明の実施の形態について図面を参照して詳細に説明する。この実施の形態では、近年のデジタルカメラの普及に伴なって、その需要が急速に伸びてきているデジタルフォトフレームに、この発明を適用した場合について説明する。
【００１３】
まず、デジタルフォトフレームの概要について簡単に説明すると、デジタルフォトフレームは、いわゆる写真立てのような形状に構成されており、通常の写真立てで写真の露出される部分が、例えば液晶表示パネル等で構成された表示モニタとなっている。
【００１４】
そして、このデジタルフォトフレームは、例えばデジタルカメラ等で撮影した写真等のコンテンツが記録されたメモリカードを挿入することにより、その記録されたコンテンツに基づいて、表示モニタに特定の写真を表示したり、複数の写真を一定時間ずつ順次切り替えて表示する、いわゆるスライドショーを行なったりすることができる。
【００１５】
また、この種のデジタルフォトフレームには、例えばインターネット等の外部ネットワークに接続可能な機能を有するものもあり、これによれば、ネットワーク上で特定のサーバにアクセスすることによって、例えば写真、ニュース、カレンダー等の各種コンテンツを取得し、その取得したコンテンツを表示することも可能である。
【００１６】
図１（ａ）は、この実施の形態で説明するデジタルフォトフレーム１１を正面側から見た状態を示している。すなわち、このデジタルフォトフレーム１１は、ほぼ薄型の長方形状に形成されたキャビネット１２を有している。
【００１７】
そして、このキャビネット１２内には、例えば液晶表示パネル等を備えた平面型ディスプレイである表示モニタ１３が収容されている。この場合、表示モニタ１３は、その表示画面がキャビネット１２の正面側に露出されている。また、この表示モニタ１３の表示画面は、タッチセンサ構造となっており、タッチ式の操作部を構成することができる。
【００１８】
図１（ｂ）は、上記デジタルフォトフレーム１１を背面側から見た状態を示している。すなわち、上記キャビネット１２の背面側には、電源スイッチ等を含む各種の操作子が配列された操作部１４と、外部の図示しない記録再生機器やネットワーク等に接続するためのコネクタ部１５とが設置されている。
【００１９】
図２は、上記デジタルフォトフレーム１１の主要な信号処理系の一例を示している。すなわち、このデジタルフォトフレーム１１は、上記した表示モニタ１３及び操作部１４の他に、カード装着部１６、情報記録再生部１７、ＨＤＤインターフェース１８及びネットワークインターフェース１９を備えている。
【００２０】
そして、これらの表示モニタ１３、操作部１４、カード装着部１６、情報記録再生部１７、ＨＤＤインターフェース１８及びネットワークインターフェース１９は、ＣＰＵ（central processing unit）２０ａを内蔵した制御部２０によって、個別にまたは複数個が関連して動作するように統括的に制御されている。
【００２１】
この場合、制御部２０は、メモリ部２０ｂを利用している。このメモリ部２０ｂは、主として、ＣＰＵ２０ａが実行する制御プログラムを格納したＲＯＭ（read only memory）と、該ＣＰＵ２０ａに作業エリアを提供するためのＲＡＭ（random access memory）と、各種の設定情報及び制御情報等が格納される不揮発性メモリとを有している。
【００２２】
ここで、まず、上記カード装着部１６は、例えばＳＤカード等のような携帯型記録媒体であるメモリカード２１を着脱自在に装着可能としている。そして、このカード装着部１６は、装着されたメモリカード２１から、そこに記録されている写真等のコンテンツを読み取り、制御部２０に供給している。なお、上記キャビネット１２の側面には、メモリカード２１を着脱するための図示しないスリットが形成されている。
【００２３】
また、上記情報記録再生部１７は、例えば半導体メモリ等で構成されており、カード装着部１６から制御部２０に供給されたコンテンツが記録再生されるものである。
【００２４】
さらに、上記ＨＤＤインターフェース１８は、上記コネクタ部１５を構成する入出力端子１５ａを介して、外付けの記録再生機器としてのＨＤＤ２２に接続されている。これにより、制御部２０は、カード装着部１６や情報記録再生部１７から取得されるコンテンツを、ＨＤＤインターフェース１８及び入出力端子１５ａを介してＨＤＤ２２に供給し、そのハードディスク２２ａに記録再生させることができる。
【００２５】
また、上記ネットワークインターフェース１９は、上記コネクタ部１５を構成する入出力端子１５ｂを介して外部のネットワーク２３に接続されている。これにより、制御部２０は、ネットワークインターフェース１９、入出力端子１５ｂ及びネットワーク２３を介して所定のサーバ２４にアクセスし、カード装着部１６や情報記録再生部１７から取得されるコンテンツをサーバ２４に記録再生させることができる。
【００２６】
なお、上記制御部２０は、ＨＤＤ２２で再生したコンテンツをネットワーク２３上のサーバ２４に記録させたり、サーバ２４から取得したコンテンツをＨＤＤ２２によりハードディスク２２ａに記録させたりすることもできる。
【００２７】
また、上記操作部１４は、主として、電源スイッチと、上記表示モニタ１３に、カード装着部１６、ＨＤＤ２２及びサーバ２４等から取得した映像や文字等のコンテンツを表示させるか、タッチ式の操作部を表示させるかを切り替える表示切替スイッチとを備えている。
【００２８】
さらに、上記表示モニタ１３は、操作部１４の表示切替スイッチの切り替え操作に基づいて、カード装着部１６、情報記録再生部１７、ＨＤＤ２２及びサーバ２４等から取得される映像や文字等のコンテンツと、タッチ式の操作部とが選択的に表示される。なお、タッチ式の操作部は、コンテンツに重畳されて表示されるようにしても良いものである。
【００２９】
ここで、上記制御部２０は、タッチ式操作制御部２０ｃを内蔵している。このタッチ式操作制御部２０ｃは、操作部１４の表示切替スイッチがタッチ式の操作部の表示に切り替えられたとき、表示モニタ１３にタッチ式の操作部を表示させる。そして、表示モニタ１３の表示画面がタッチ操作されたときには、そのタッチ操作された領域の操作内容が実行されるように各部をそれぞれ制御している。
【００３０】
また、上記制御部２０は、コンテンツ保存制御部２０ｄを内蔵している。このコンテンツ保存制御部２０ｄは、まず、入出力端子１５ａにＨＤＤ２２が接続されたとき、その接続されたＨＤＤ２２が、コンテンツの自動保存用として予め設定されたものであるか否かを判別する。
【００３１】
そして、このコンテンツ保存制御部２０ｄは、入出力端子１５ａに接続されたＨＤＤ２２が、コンテンツ自動保存用として予め設定されたものであると判断した場合、カード装着部１６にメモリカード２１が装着されたとき、その装着されたメモリカード２１に記録されているコンテンツを、自動的にＨＤＤ２２に供給してハードディスク２２ａに記録するように制御している。
【００３２】
この場合、コンテンツ保存制御部２０ｄは、入出力端子１５ａに接続されたＨＤＤ２２が、コンテンツ自動保存用として予め設定されたものであるか否かを判別するために、ＨＤＤ２２のハードディスク２２ａ内に自動保存対象コンテンツテーブルが格納されているか否かを判別している。そして、コンテンツ保存制御部２０ｄは、ハードディスク２２ａ内に自動保存対象コンテンツテーブルが格納されている場合に、入出力端子１５ａに接続されているＨＤＤ２２が、コンテンツの自動保存用として予め設定されたものであると判断している。
【００３３】
ここで、上記自動保存対象コンテンツテーブルには、図３に示すように、ＨＤＤ２２のハードディスク２２ａ内に自動保存する対象となるコンテンツの種類を示す管理情報が記述されている。この管理情報は、具体的に言えば、映像コンテンツを記録するための規格として定義されている各種のフォルダパスと、そのフォルダパスの中で定義されているコンテンツ種を示す拡張子とを備えている。
【００３４】
そして、上記コンテンツ保存制御部２０ｄは、ハードディスク２２ａ内に自動保存対象コンテンツテーブルが格納されたＨＤＤ２２が入出力端子１５ａに接続されている場合、つまり、コンテンツの自動保存用として予め設定されたＨＤＤ２２が入出力端子１５ａに接続されている場合に、カード装着部１６にメモリカード２１が装着されたとき、その装着されたメモリカード２１に記録されているコンテンツの中の、自動保存対象コンテンツテーブルの管理情報に対応した種類のコンテンツのうちから、ハードディスク２２ａに保存されていないコンテンツを読み出して、ＨＤＤ２２に供給してハードディスク２２ａに記録するように制御している。
【００３５】
すなわち、ユーザがメモリカード２１をカード装着部１６に装着したとき、そのメモリカード２１に記録されている各種のコンテンツの中の、ＨＤＤ２２の自動保存対象コンテンツテーブルに記述された管理情報に対応する種類のコンテンツのうち、ＨＤＤ２２に保存されていないコンテンツが、自動的にＨＤＤ２２に保存されるようになる。
【００３６】
このため、従来のようにＰＣ等を使用することなく、メモリカード２１内に記録されているコンテンツを、自動的にＨＤＤ２２に保存することができるようになり、ユーザにとっての取り扱いを容易化することができるようになる。
【００３７】
また、ＨＤＤ２２に自動保存対象コンテンツテーブルを格納させることで、そのＨＤＤ２２を特定の管理情報に対応する種類のコンテンツの保存専用に設定することができるため、特殊なＨＤＤを使用する必要がなく、汎用のＨＤＤを使用することができ、経済的に有利となる。
【００３８】
さらに、自動保存対象コンテンツテーブルの格納されているＨＤＤ２２に対して、その自動保存対象コンテンツテーブルに記述された管理情報に対応する種類のコンテンツが、メモリカード２１から自動記録されるようにしているので、任意のＨＤＤに対して無差別にメモリカード２１からのコンテンツの自動記録が行なわれることはなく、コンテンツ保護の立場からの信頼性も十分に確保することができる。
【００３９】
なお、メモリカード２１内に記録されているコンテンツのうち、ＨＤＤ２２に保存したコンテンツについては、そのまま残しておいても良いし、必要に応じて削除するようにしても良いものである。
【００４０】
メモリカード２１内に記録されたコンテンツを削除するには、メモリカード２１内の全コンテンツを表示モニタ１３に一覧表示させ、その中から所望のコンテンツを選択して削除する手法が考えられる。また、ＨＤＤ２２に保存したコンテンツについては、メモリカード２１から自動的に削除するようにすることも考えられる。
【００４１】
さらに、上記コンテンツ保存制御部２０ｄは、ＨＤＤ２２のハードディスク２２ａに、その記録領域内がほぼ満杯となるまでコンテンツが記録された場合には、自動的にネットワーク２３上のサーバ２４にアクセスし、メモリカード２１内に記録されているコンテンツのうち、ハードディスク２２ａに保存する対象となるコンテンツを、サーバ２４に記録するように制御している。このため、ＨＤＤ２２のハードディスク２２ａに記録されたコンテンツを削除することにより、そのＨＤＤ２２をメモリカード２１からのコンテンツの保存に再利用することが可能となる。
【００４２】
この場合、上記コンテンツ保存制御部２０ｄは、記録領域内がほぼ満杯となったＨＤＤ２２に代えて新たなＨＤＤが接続されると、サーバ２４に記録されている各種のコンテンツの中の、新ＨＤＤに格納されている自動保存対象コンテンツテーブルに記述された管理情報に対応する種類のコンテンツのうち、新ＨＤＤに保存されていないコンテンツを自動的に新ＨＤＤに保存するように制御する。
【００４３】
なお、ＨＤＤ２２のハードディスク２２ａに自動保存対象コンテンツテーブルを格納する作業は、例えば表示モニタ１３にタッチ式の操作部を表示させたり、ＰＣ等を用いたりしてユーザが行なうことになるが、一度だけ行なっておけば、以後、自動保存対象コンテンツテーブルに記述された管理情報に変更がない限り、そのＨＤＤ２２には、自動保存対象コンテンツテーブルに記述された管理情報に対応する種類のコンテンツが、メモリカード２１から自動的に保存されることになるので、ユーザにとっての取り扱いの容易化を何ら損なうことはないものである。
【００４４】
図４は、上記コンテンツ保存制御部２０ｄが、入出力端子１５ａに接続されたＨＤＤ２２がコンテンツの自動保存用として予め設定されたものであるか否かを判別する処理動作をまとめたフローチャートを示している。すなわち、処理が開始（ステップＳ４ａ）されると、コンテンツ保存制御部２０ｄは、ステップＳ４ｂで、入出力端子１５ａにＨＤＤ２２が接続されたか否かを判別する。
【００４５】
そして、接続されたと判断された場合（ＹＥＳ）、コンテンツ保存制御部２０ｄは、ステップＳ４ｃで、接続されたＨＤＤ２２のＲＯＯＴ（階層構造となされたファイルの最上層）に自動保存対象コンテンツテーブルのファイルが存在しているか否かを判別する。
【００４６】
このステップＳ４ｃでＲＯＯＴに自動保存対象コンテンツテーブルのファイルが存在していると判断された場合（ＹＥＳ）、コンテンツ保存制御部２０ｄは、ステップＳ４ｄで、接続されたＨＤＤ２２がコンテンツ自動保存用に設定されたものであると判断して処理を終了（ステップＳ４ｆ）する。
【００４７】
また、上記ステップＳ４ｃでＨＤＤ２２のＲＯＯＴに自動保存対象コンテンツテーブルのファイルが存在していないと判断された場合（ＮＯ）、コンテンツ保存制御部２０ｄは、ステップＳ４ｅで、接続されたＨＤＤ２２がコンテンツ自動保存用に設定されたものでないと判断して処理を終了（ステップＳ４ｆ）する。
【００４８】
図５は、上記コンテンツ保存制御部２０ｄが、コンテンツ自動保存用に設定されたＨＤＤ２２にコンテンツを自動保存する動作をまとめたフローチャートを示している。すなわち、処理が開始（ステップＳ５ａ）されると、コンテンツ保存制御部２０ｄは、ステップＳ５ｂで、入出力端子１５ａにコンテンツ自動保存用に設定されたＨＤＤ２２が接続されているか否かを判別し、接続されていないと判断された場合（ＮＯ）、処理を終了（ステップＳ５ｉ）する。
【００４９】
また、上記ステップＳ５ｂでコンテンツ自動保存用に設定されたＨＤＤ２２が接続されていると判断された場合（ＹＥＳ）、コンテンツ保存制御部２０ｄは、ステップＳ５ｃで、ＨＤＤ２２に格納された自動保存対象コンテンツテーブルを取得する。
【００５０】
そして、コンテンツ保存制御部２０ｄは、ステップＳ５ｄで、ネットワーク２３上のサーバ２４にアクセスし、ＨＤＤ２２の記録領域内がほぼ満杯となったためにサーバ２４に保存したコンテンツを、ＨＤＤ２２に格納させるように制御する。この場合、サーバ２４に保存されている各種のコンテンツの中の、接続されているＨＤＤ２２の自動保存対象コンテンツテーブルに記述された管理情報に対応する種類のコンテンツのうち、ＨＤＤ２２に保存されていないコンテンツが、自動的にＨＤＤ２２に保存されるようになる。なお、サーバ２４からＨＤＤ２２に保存したコンテンツは、サーバに２４そのまま残しておいても良いし、必要に応じて削除するようにしても良いものである。
【００５１】
その後、コンテンツ保存制御部２０ｄは、ステップＳ５ｅで、カード装着部１６にメモリカード２１が装着されたか否かを判別する。そして、装着されたと判断された場合（ＹＥＳ）、コンテンツ保存制御部２０ｄは、ステップＳ５ｆで、メモリカード２１に記録されている各種のコンテンツの中の、接続されているＨＤＤ２２の自動保存対象コンテンツテーブルに記述された管理情報に対応する種類のコンテンツのうち、ＨＤＤ２２に保存されていない全てのコンテンツのＨＤＤ２２への保存が完了したか否かを判別する。
【００５２】
ここで、上記ステップＳ５ｆで保存が完了していないと判断された場合（ＮＯ）、コンテンツ保存制御部２０ｄは、ステップＳ５ｇで、ＨＤＤ２２の自動保存対象コンテンツテーブルに記述された管理情報の中から、１つのフォルダパスと、そのフォルダパスの中で定義されているコンテンツ種とを取得する。
【００５３】
そして、コンテンツ保存制御部２０ｄは、ステップＳ５ｈで、取得したフォルダパスとコンテンツ種とに対応した種類のコンテンツのうち、ＨＤＤ２２に保存されていないコンテンツをＨＤＤ２２に保存し、ステップＳ５ｆの処理に戻される。以後、ステップＳ５ｆ〜Ｓ５ｈの処理が繰り返されることにより、メモリカード２１に記録されている各種のコンテンツの中の、接続されているＨＤＤ２２の自動保存対象コンテンツテーブルに記述された管理情報に対応する種類のコンテンツのうち、ＨＤＤ２２に保存されていない全てのコンテンツがＨＤＤ２２に保存されるようになり、ステップＳ５ｆで保存が完了したと判断された場合（ＹＥＳ）、処理が終了（ステップＳ５ｉ）される。
【００５４】
図６は、図５のステップＳ５ｄで説明した処理、つまり、コンテンツ保存制御部２０ｄが、ネットワーク２３上のサーバ２４にアクセスし、ＨＤＤ２２の記録領域内がほぼ満杯となったためにサーバ２４に保存したコンテンツを、ＨＤＤ２２に格納させるように制御する処理動作をまとめたフローチャートを示している。
【００５５】
すなわち、処理が開始（ステップＳ６ａ）されると、コンテンツ保存制御部２０ｄは、ステップＳ６ｂで、ネットワーク２３上のサーバ２４内に、ＨＤＤ２２に格納されている自動保存対象コンテンツテーブルに記述された管理情報に対応する種類のコンテンツのうち、ＨＤＤ２２に保存されていないコンテンツが存在するか否かを判別する。
【００５６】
そして、サーバ２４内にＨＤＤ２２に保存されていないコンテンツが存在すると判断された場合（ＹＥＳ）、コンテンツ保存制御部２０ｄは、ステップＳ６ｃで、サーバ２４内に保存されている、ＨＤＤ２２の自動保存対象コンテンツテーブルに記述された管理情報に対応する種類のコンテンツのうち、ＨＤＤ２２に保存されていないコンテンツをＨＤＤ２２に格納して、処理を終了（ステップＳ６ｄ）する。なお、上記ステップＳ６ｂでサーバ２４内にＨＤＤ２２に保存されていないコンテンツが存在しないと判断された場合（ＮＯ）にも、コンテンツ保存制御部２０ｄは、処理を終了（ステップＳ６ｄ）する。
【００５７】
図７は、図５のステップＳ５ｈで説明した処理、つまり、コンテンツ保存制御部２０ｄが、ＨＤＤ２から取得した１つのフォルダパスとコンテンツ種とに対応した種類のコンテンツのうち、ＨＤＤ２２に保存されていないコンテンツをＨＤＤ２２に保存させるように制御する処理動作をまとめたフローチャートを示している。
【００５８】
すなわち、処理が開始（ステップＳ７ａ）されると、コンテンツ保存制御部２０ｄは、ステップＳ７ｂで、メモリカード２１に記録されている各種のコンテンツの中の、接続されているＨＤＤ２２の自動保存対象コンテンツテーブルに記述された管理情報に対応する種類のコンテンツのうち、ＨＤＤ２２に保存されていない全てのコンテンツのＨＤＤ２２への保存が完了したか否かを判別し、完了したと判断された場合（ＹＥＳ）、処理を終了（ステップＳ７ｉ）する。
【００５９】
また、上記ステップＳ７ｂでコンテンツのＨＤＤ２２への保存が完了していないと判断された場合（ＮＯ）、コンテンツ保存制御部２０ｄは、ステップＳ７ｃで、メモリカード２１の中の、ＨＤＤ２から取得した１つのフォルダパスとコンテンツ種とに対応した種類のコンテンツのうち、ＨＤＤ２２に保存されていない１つのコンテンツを取得する。
【００６０】
その後、コンテンツ保存制御部２０ｄは、ステップＳ７ｄで、ＨＤＤ２２の記録領域が満杯であるか否かを示すフラグが、満杯であることを示すオン状態であるか否かを判別する。そして、フラグがオン状態でないと判断された場合（ＮＯ）、コンテンツ保存制御部２０ｄは、ステップＳ７ｅで、ＨＤＤ２２の空き容量がステップＳ７ｃで取得したコンテンツを保存するのに足りないか否かを判別する。
【００６１】
ここで、ＨＤＤ２２の空き容量がステップＳ７ｃで取得したコンテンツを保存するのに足りると判断された場合（ＮＯ）、コンテンツ保存制御部２０ｄは、ステップＳ７ｆで、そのコンテンツをＨＤＤ２２に保存して、ステップＳ７ｂの処理に戻される。
【００６２】
また、上記ステップＳ７ｅで、ＨＤＤ２２の空き容量がステップＳ７ｃで取得したコンテンツを保存するのに足りないと判断された場合（ＹＥＳ）、コンテンツ保存制御部２０ｄは、ステップＳ７ｇで、ＨＤＤ２２の記録領域が満杯であるか否かを示すフラグを、満杯であることを示すオン状態に設停する。
【００６３】
その後、コンテンツ保存制御部２０ｄは、ステップＳ７ｈで、ステップＳ７ｃで取得したコンテンツをネットワーク２３上のサーバ２４に保存して、ステップＳ７ｂの処理に戻される。また、上記ステップＳ７ｄで、ＨＤＤ２２の記録領域が満杯であるか否かを示すフラグが、満杯であることを示すオン状態であると判断された場合（ＹＥＳ）、コンテンツ保存制御部２０ｄは、ステップＳ７ｈの処理に移行する。
【００６４】
なお、上記した実施の形態において、メモリカード２１がカード装着部１６に装着されて、メモリカード２１に記録されている各種のコンテンツの中の、ＨＤＤ２２の自動保存対象コンテンツテーブルに記述された管理情報に対応する種類のコンテンツのうち、ＨＤＤ２２に保存されていない全てのコンテンツがＨＤＤ２２に保存されたとき、コンテンツ保存制御部２０ｄは、ＨＤＤ２１の残りの空き記録容量を算出して、ユーザに示すようにすることも可能である。
【００６５】
具体的には、例えば図８に示すように、デジタルフォトフレーム１１の表示モニタ１３に、「ＨＤＤが満杯になるまでに、写真では    枚分、メモリカードでは    枚分に相当するデータが記録可能です」というようなメッセージを表示させる。このように、写真やメモリカード等の枚数で、ＨＤＤ２１の残りの空き記録容量をユーザに示すようにすれば、ユーザにとって分かり易く便利なものとなる。なお、図８において、表示モニタ１３上の「戻る」の領域をタッチ操作することにより、通常のコンテンツの表示に切り替えることができる。
【００６６】
また、上記した実施の形態では、ＨＤＤ２２に自動保存対象コンテンツテーブルを格納するようにしている。しかしながら、図９に示すように、ＨＤＤ２２のハードディスク２２ａ内に自動保存する対象となるコンテンツの種類を示す管理情報（つまり、映像コンテンツを記録するための規格として定義されている各種のフォルダパスと、そのフォルダパスの中で定義されているコンテンツ種を示す拡張子）と、ＨＤＤに予め付された固有の識別番号とを対応させたテーブルを、情報記録再生部１７に格納する手法も可能である。
【００６７】
そして、コンテンツ保存制御部２０ｄは、入出力端子１５ａに接続されたＨＤＤの識別番号を検知し、情報記録再生部１７に格納されたテーブルを参照して、その識別番号に対応する管理情報を取得する。
【００６８】
これにより、コンテンツ保存制御部２０ｄは、メモリカード２１がカード装着部１６に装着されたとき、メモリカード２１に記録されている各種のコンテンツの中の、接続されているＨＤＤに対応する管理情報で示される種類のコンテンツのうち、ＨＤＤにまだ保存されていないコンテンツをＨＤＤに保存するように制御することができる。
【００６９】
すなわち、メモリカード２１に記録されている各種のコンテンツのうち、テーブルに記述された所定の管理情報に対応する種類のコンテンツが、その所定の管理情報に対応する識別番号のＨＤＤに保存されることになる。このような手法によっても、メモリカード２１に記録されている特定の種類のコンテンツを、特定のＨＤＤに対してのみ自動的に保存させることが可能となる。
【００７０】
この場合、コンテンツ保存制御部２０ｄは、入出力端子１５ａに接続されたＨＤＤ２２の識別番号が、情報記録再生部１７に記録されたテーブルに記述されているか否かによって、入出力端子１５ａに接続されたＨＤＤ２２が、コンテンツの自動保存用として予め設定されたものであるか否かを判別することができる。
【００７１】
さらに、上記した実施の形態では、デジタルフォトフレーム１１を例に説明したが、この発明は、デジタルフォトフレーム１１に限らず、例えばメモリカード２１のような携帯型記録媒体を装着して、その記録コンテンツを表示可能とするＰＣ等の機器にも広く適用することができることはもちろんである。
【００７２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００７３】
１１…デジタルフォトフレーム、１２…キャビネット、１３…表示モニタ、１４…操作部、１５…コネクタ部、１５ａ，１５ｂ…入出力端子、１６…カード装着部、１７…情報記録再生部、１８…ＨＤＤインターフェース、１９…ネットワークインターフェース、２０…制御部、２０ａ…ＣＰＵ、２０ｂ…メモリ部、２０ｃ…タッチ式操作制御部、２０ｄ…コンテンツ保存制御部、２１…メモリカード、２２…ＨＤＤ、２２ａ…ハードディスク、２３…ネットワーク、２４…サーバ。
【図１】
2011138220.tif 000003
【図２】
2011138220.tif 000004
【図３】
2011138220.tif 000005
【図４】
2011138220.tif 000006
【図５】
2011138220.tif 000007
【図６】
2011138220.tif 000008
【図７】
2011138220.tif 000009
【図８】
2011138220.tif 000010
【図９】
2011138220.tif 000011